(57)【特許請求の範囲】
【請求項１】
投影型の静電容量方式のタッチパネルを備えるタッチパネル付き表示装置であって、
前記タッチパネルのボタン部が操作されたか否かを、静電容量の変化量に基づいて判別する操作判別部と、
前記操作判別部が、前記ボタン部が操作されたと判別したときは、操作された前記ボタン部に対応する発光部を前記静電容量の変化量に応じた明るさで点灯させ、操作された前記ボタン部に対応する前記発光部とは別の発光部を前記静電容量の変化量のあらかじめ定められた推奨値に応じた明るさで点灯させる表示制御部とを備える
ことを特徴とするタッチパネル付き表示装置。
【請求項２】
前記操作判別部は、前記静電容量の変化量の値が、現在設定されている設定値以上の値であるときに、前記ボタン部が操作されたと判別し、
前記設定値を変更する設定変更部をさらに備える
ことを特徴とする請求項１に記載のタッチパネル付き表示装置。
【請求項３】
前記操作判別部は、複数の前記ボタン部が操作されたか否かを前記静電容量の変化量に基づいて判別し、
前記表示制御部は、前記操作判別部が、複数の前記ボタン部が操作されたと判別したときは、操作された複数の前記ボタン部にそれぞれ対応する複数の前記発光部を点灯または点滅させる
ことを特徴とする請求項１または２に記載のタッチパネル付き表示装置。
【発明の詳細な説明】
【技術分野】
【０００１】
本発明は、タッチパネルの感度の調整が可能なタッチパネル付き表示装置に関する。
【背景技術】
【０００２】
近年、入力装置として物理ボタンではなく、タッチパネルを採用する製品が増えている。静電容量方式のタッチパネルは、たとえば、アクリル板と、アクリル板の裏面側に設けられた電極とを有する。静電容量方式のタッチパネルでは、静電容量を持ったユーザがアクリル板の表面側にタッチすることによるアクリル板の表面と電極との間の静電容量が変化することを利用して、ユーザによるタッチを検出している。【０００３】
静電容量方式のタッチパネルでは、ユーザの指の大きさの違い、アクリル板の表面側をユーザがタッチしている時間の違い、およびタッチパネルの設置場所の気温および湿度といった環境の違いによって、ユーザによるタッチを検出したり検出しなかったりするため、タッチパネルの感度を調整する必要がある。タッチパネルの感度を調整するとは、ユーザによるタッチの有無を判定するためのアクリル板の表面と電極との間の静電容量の変化量の閾値を調整することを意味する。タッチパネルの感度が高すぎる場合、またはタッチパネルの感度が低すぎる場合は、タッチパネルでの誤検出および非検出が起こりやすくなるため、タッチパネルの使い勝手が悪くなる。【０００４】
たとえば、特許文献１に記載されているタッチパネルを備える携帯端末では、タッチパネルの周縁部に対して低感度領域を設定し、低感度領域の感度を感度入力部の操作に応じた感度に設定している。
【先行技術文献】
【特許文献】
【０００５】
【特許文献１】特開２０１３−８９２１２号公報
【発明の概要】
【発明が解決しようとする課題】
【０００６】
しかしながら、従来の技術では、ユーザがアクリル板の表面側にタッチしたときにアクリル板の表面と電極との間の静電容量の変化量がどの程度であるのかを、ユーザが把握することができない。このため、ユーザはタッチパネルを最適な感度にするために、タッチと感度の調整とを試行錯誤して行う必要があり、タッチパネルの感度の調整をユーザが容易に行うことができない、という問題があった。【０００７】
本発明は、上記に鑑みてなされたものであって、タッチパネルの感度の調整をユーザが容易に行うことができるタッチパネル付き表示装置を得ることを目的とする。
【課題を解決するための手段】
【０００８】
上述した課題を解決し、目的を達成するために、本発明にかかる、タッチパネル付き表示装置は、投影型の静電容量方式のタッチパネルを備える。タッチパネル付き表示装置は、タッチパネルのボタン部が操作されたか否かを、静電容量の変化量に基づいて判別する操作判別部を備える。タッチパネル付き表示装置は、操作判別部が、ボタン部が操作されたと判別したときは、操作されたボタン部に対応する発光部を静電容量の変化量に応じて点灯させる表示制御部を備える。
【発明の効果】
【０００９】
本発明にかかるタッチパネル付き表示装置は、タッチパネルの感度の調整をユーザが容易に行うことができるという効果を奏する。
【図面の簡単な説明】
【００１０】
【図１】本発明の実施の形態にかかるタッチパネル付き表示装置である操作パネルを備える空気調和機の室内機の一例を示す斜視図
【図２】図１に示す操作パネルの外観の一例を示す図
【図３】図２における線III−IIIに沿うタッチパネルの概略断面図
【図４】図１に示す操作パネルの機能構成の一例を示すブロック図
【図５】図１に示す操作パネルのハードウェア構成の一例を示す図
【図６】図４における操作パネルの操作パネル制御部が実行するタッチ感度調整処理のフローチャート
【発明を実施するための形態】
【００１１】
以下に、本発明の実施の形態にかかるタッチパネル付き表示装置を図面に基づいて詳細に説明する。なお、この実施の形態によりこの発明が限定されるものではない。
【００１２】
実施の形態．
まず、本発明の実施の形態にかかるタッチパネル付き表示装置である操作パネルを備える空気調和機の室内機について説明する。図１は、本発明の実施の形態にかかるタッチパネル付き表示装置である操作パネルを備える空気調和機の室内機の一例を示す斜視図である。
【００１３】
図１に示す、空気調和機の室内機１には、前面に操作パネル２、吹出し口３および吸込み口４が設けられている。操作パネル２は、タッチパネル付き表示装置の一例である。室内機１と、図示しない空気調和機の室外機とは、電気配線５によって接続され、冷媒配管６によっても接続されている。室内機１は、風を作り出すための図示しないファンと、風向を制御するための図示しないフラップと、室温測定用サーミスタといった図示しない各センサ類とを有する。
【００１４】
本実施の形態では、操作パネル２を備える機器が空気調和機の室内機１であるが、操作パネル２を備える機器は室内機１に限定されない。
【００１５】
図２は、図１に示す操作パネルの外観の一例を示す図である。
【００１６】
図２に示す、操作パネル２は、状態表示ＬＥＤ（Light  Emitting  Diode）を用いて室内機１の運転状態などを表示する状態表示部７を有する。たとえば、状態表示部７は、７セグメント表示ＬＥＤ８を用いて室内温度および設定温度などを表示する。操作パネル２は、タッチパネル９を有する。タッチパネル９には、タッチボタン１０ａ，１０ｂ，１０ｃ，１０ｄ，１０ｅ，１０ｆ，１０ｇ，１０ｈ，１０ｉ，１０ｊ（以下、これらの各々を単に「タッチボタン１０」と称することもある。）が表示されている。たとえば、タッチパネル９には、タッチボタン１０の絵が描かれている。タッチボタン１０は、ボタン部の一例である。タッチパネル９は、タッチボタン用ＬＥＤ１１ａ，１１ｂ，１１ｃ，１１ｄ，１１ｅ，１１ｆ，１１ｇ，１１ｈ，１１ｉ，１１ｊ（以下、これらの各々を単に「タッチボタン用ＬＥＤ１１」と称することもある。）を有する。タッチボタン用ＬＥＤ１１は、発光部の一例である。
【００１７】
タッチボタン１０ａはタッチボタン用ＬＥＤ１１ａと対応付けがされている。同様に、タッチボタン１０ｂはタッチボタン用ＬＥＤ１１ｂと、タッチボタン１０ｃはタッチボタン用ＬＥＤ１１ｃと、タッチボタン１０ｄはタッチボタン用ＬＥＤ１１ｄと、タッチボタン１０ｅはタッチボタン用ＬＥＤ１１ｅと、タッチボタン１０ｆはタッチボタン用ＬＥＤ１１ｆと、タッチボタン１０ｇはタッチボタン用ＬＥＤ１１ｇと、タッチボタン１０ｈはタッチボタン用ＬＥＤ１１ｈと、タッチボタン１０ｉはタッチボタン用ＬＥＤ１１ｉと、タッチボタン１０ｊはタッチボタン用ＬＥＤ１１ｊとそれぞれ対応付けがされている。
【００１８】
タッチボタン１０ａは、たとえば、空気調和機をオン（ＯＮ）またはオフ（ＯＦＦ）にするためのタッチボタンである。タッチボタン１０ｂは、たとえば、空気調和機の運転モードを変更するためのタッチボタンである。タッチボタン１０ｃは、たとえば、設定温度を上げるためのタッチボタンである。タッチボタン１０ｃは、たとえば、タッチパネル９の感度を高くするためのタッチボタンでもある。タッチボタン１０ｄは、たとえば、設定温度を下げるためのタッチボタンである。タッチボタン１０ｄは、たとえば、タッチパネル９の感度を低くするためのタッチボタンでもある。タッチボタン１０ｊは、たとえば、操作パネル２のモードを移行させるためのタッチボタンである。
【００１９】
図３は、図２における線III−IIIに沿うタッチパネルの概略断面図である。
【００２０】
図３に示すタッチパネル９は、たとえば、アクリル板１２と、アクリル板１２の裏面１２ｂ側に設けられたタッチボタン用ＬＥＤ１１および電極１３とを有する。タッチボタン１０は、たとえば、アクリル板１２の電極１３が設けられている裏面１２ｂの領域に対応する表面１２ａの領域内に表示される。たとえば、アクリル板１２の電極１３が設けられている裏面１２ｂの領域に対応する表面１２ａの領域内にタッチボタン１０の絵が描かれている。
【００２１】
タッチパネル９は、投影型の静電容量方式のタッチパネルである。タッチパネル９では、静電容量を持ったユーザがアクリル板１２の表面１２ａ側にタッチすることによるアクリル板１２の表面１２ａと電極１３との間の静電容量が変化することを利用して、ユーザによるタッチを検出する。具体的には、タッチパネル９では、静電容量を持ったユーザがアクリル板１２の表面１２ａ側にタッチすることによるアクリル板１２の表面１２ａと電極１３との間の静電容量の変化量の値が、タッチ検出閾値以上の値であるときに、ユーザによるタッチを検出する。タッチ検出閾値は、ユーザによるタッチの有無を判定するための閾値であって、アクリル板１２の表面１２ａと電極１３との間の静電容量の変化量の閾値である。タッチ検出閾値は、設定値の一例である。
【００２２】
タッチ検出閾値が小さい値であると、タッチパネル９の感度が高くなる。タッチ検出閾値が大きい値であると、タッチパネル９の感度が低くなる。ユーザは、タッチ検出閾値の値を調整して、タッチパネル９の感度を調整する。
【００２３】
本実施の形態では、ユーザにはタッチボタン用ＬＥＤ１１が点灯していると認識させるようにタッチボタン用ＬＥＤ１１を点滅させ、タッチボタン用ＬＥＤ１１が点滅しているときのある期間における点灯期間の割合を調整することにより、ユーザが認識するタッチボタン用ＬＥＤ１１の明るさの度合いを調整することができる。本実施の形態では、点灯時の明るさを変更する方法の例として、点灯時間と消灯時間との比を変更して点滅させる、すなわちＰＷＭ（Pulse  Width  Modulation）制御により点灯の明るさを変更する方法を用いることができる。本実施の形態では、明るさを調整するための点滅であって、ユーザが点滅とは認識しない点滅も、点灯という。本実施の形態では、明るさを調整するための点滅とは別に、ユーザが点滅と認識できる点滅が用いられることもある。
【００２４】
次に、図１における操作パネルの機能構成について説明する。図４は、図１に示す操作パネルの機能構成の一例を示すブロック図である。
【００２５】
図４に示す操作パネル２は、入出力部２１と、操作パネル制御部２２と、記憶部２３とを有する。入出力部２１は、状態表示部７およびタッチパネル９を含む。操作パネル制御部２２は、操作パネル２の全体の動作を制御する。記憶部２３は、情報を記憶する。操作パネル制御部２２は、操作判別部２４と、表示制御部２５と、設定変更部２６とを有する。
【００２６】
操作判別部２４は、操作パネル２のモード移行操作が行われたか否かを判別する。操作判別部２４は、図２に示すタッチボタン１０が操作されたか否かを判別する。操作判別部２４は、操作されたタッチボタン１０が１つであるか否かを判別する。操作判別部２４は、操作されたタッチボタン１０がタッチパネル９の感度を高く、または低くするためのタッチボタン１０であるか否かを判別する。操作判別部２４は、タッチボタン１０の操作が終了したか否かを判別する。
【００２７】
表示制御部２５は、たとえば７セグメント表示ＬＥＤ８を用いて現在または変更後のタッチパネル９の感度の設定の表示を行う。表示制御部２５は、タッチボタン用ＬＥＤ１１の点灯および消灯を制御する。表示制御部２５は、操作されたタッチボタン１０に対応するタッチボタン用ＬＥＤ１１を静電容量の変化量に応じた明るさで点灯させる。表示制御部２５は、操作されていないタッチボタン１０に対応するタッチボタン用ＬＥＤ１１を静電容量の変化量のあらかじめ定められた推奨値に応じた明るさで点灯させる。表示制御部２５は、操作された全てのタッチボタン１０にそれぞれ対応する全てのタッチボタン用ＬＥＤ１１を点灯または点滅させる。
【００２８】
設定変更部２６は、タッチパネル９の感度の設定を変更する。
【００２９】
次に、図１における操作パネルのハードウェア構成について説明する。図５は、図１に示す操作パネルのハードウェア構成の一例を示す図である。操作パネル２は、入出力部２１の一部、操作パネル制御部２２および記憶部２３を実現するハードウェアである制御回路３０を備える。
【００３０】
制御回路３０は、制御回路３０の外部からの情報が入力される入力回路および情報を制御回路３０の外部へ出力する出力回路を含む入出力インターフェース回路３１と、プロセッサ３２と、メモリ３３とを備える。入出力インターフェース回路３１は、外部から受信した情報をメモリ３３に送る。メモリ３３は、入出力インターフェース回路３１から受け取った情報を記憶する。また、メモリ３３にはコンピュータプログラムが記憶されている。プロセッサ３２は、メモリ３３に記憶されているコンピュータプログラムを読み出し、メモリ３３に記憶されている情報に基づいて演算処理を行う。プロセッサ３２による演算結果を示す演算結果情報は、メモリ３３に送られる。入出力インターフェース回路３１は、メモリ３３に記憶されている情報を外部に送る。
【００３１】
入出力インターフェース回路３１は、入出力部２１の一部を実現する。プロセッサ３２は、操作パネル制御部２２を実現する。メモリ３３は、記憶部２３を実現する。
【００３２】
次に、図４における操作パネルの操作パネル制御部が実行するタッチ感度調整処理について説明する。図６は、図４における操作パネルの操作パネル制御部が実行するタッチ感度調整処理のフローチャートである。操作パネル２のモードは、少なくとも、通常モードと、タッチパネル９の感度を調整するためのタッチ感度調整モードとがあるものとする。
【００３３】
ステップＳ１０１において、まず、操作パネル制御部２２の操作判別部２４は、タッチパネル９の感度を調整するためのタッチ感度調整モードへの移行操作が行われたか否かを判別する。タッチ感度調整モードへの移行操作は、たとえば、図２におけるタッチボタン１０ｊをユーザが３秒間に亘ってタッチする操作とする。
【００３４】
ステップＳ１０１での判別の結果、タッチ感度調整モードへの移行操作が行われていないときは（ステップＳ１０１でＮｏ）、ステップＳ１０１の処理に戻る。
【００３５】
ステップＳ１０１での判別の結果、タッチ感度調整モードへの移行操作が行われたときは（ステップＳ１０１でＹｅｓ）、操作パネル制御部２２は、操作パネル２のモードをタッチ感度調整モードに移行する（ステップＳ１０２）。
【００３６】
次いで、操作パネル制御部２２の表示制御部２５は、たとえば７セグメント表示ＬＥＤ８を用いて現在または変更後のタッチパネル９の感度の設定を表示する（ステップＳ１０３）。たとえば、タッチパネル９の感度を５段階に設定可能である場合には、操作パネル制御部２２の表示制御部２５は、現在のタッチパネル９の感度の設定、すなわち設定「１」、設定「２」、設定「３」、設定「４」または設定「５」の表示を、７セグメント表示ＬＥＤ８を用いて行う。設定「１」、設定「２」、設定「３」、設定「４」および設定「５」は感度の段階を示している。たとえば、７セグメント表示ＬＥＤ８は、設定「１」に対応する数字の「１」、設定「２」に対応する数字の「２」、設定「３」に対応する数字の「３」、設定「４」に対応する数字の「４」および設定「５」に対応する数字の「５」を表示する。タッチパネル９の感度を５段階に設定可能とするためには、タッチ検出閾値を５つ用意する必要がある。タッチパネル９の感度は５段階に設定可能であることに限られず、２段階、３段階または４段階に設定可能であってもよく、６段階以上に設定可能であってもよい。
【００３７】
次いで、操作パネル制御部２２の操作判別部２４は、タッチボタン１０が操作されたか否かを判別する（ステップＳ１０４）。たとえば、操作パネル制御部２２の操作判別部２４は、静電容量を持ったユーザがアクリル板１２の表面１２ａ側にタッチすることによるアクリル板１２の表面１２ａと電極１３との間の静電容量の変化量の値が、タッチ検出閾値以上の値であるときに、タッチボタン１０が操作されたと判別する。
【００３８】
ステップＳ１０４での判別の結果、タッチボタン１０が操作されていないときは（ステップＳ１０４でＮｏ）、ステップＳ１０４の処理に戻る。
【００３９】
ステップＳ１０４での判別の結果、タッチボタン１０が操作されたときは（ステップＳ１０４でＹｅｓ）、操作パネル制御部２２の操作判別部２４は、操作されたタッチボタン１０は１つであるか否かを判別する（ステップＳ１０５）。本実施の形態では、操作判別部２４は、全てのタッチボタン１０、すなわちタッチボタン１０ａ，１０ｂ，１０ｃ，１０ｄ，１０ｅ，１０ｆ，１０ｇ，１０ｈ，１０ｉ，１０ｊについて、タッチボタン１０と、当該タッチボタン１０に対応する電極１３との間の静電容量の変化量の値を、それぞれ個別にモニタリングする。そして、操作判別部２４は、全てのタッチボタン１０、すなわちタッチボタン１０ａ，１０ｂ，１０ｃ，１０ｄ，１０ｅ，１０ｆ，１０ｇ，１０ｈ，１０ｉ，１０ｊについて、静電容量の変化量の値が、タッチ検出閾値以上の値であるかを、それぞれ個別に判定する。このようにして、操作判別部２４は、操作されたタッチボタン１０を判別して、操作されたタッチボタン１０が１つであるか否かについて判別する。
【００４０】
ステップＳ１０５での判別の結果、操作されたタッチボタン１０が１つであるときは（ステップＳ１０５でＹｅｓ）、操作パネル制御部２２の操作判別部２４は、操作されたタッチボタン１０が操作パネル２のモード移行のためのタッチボタン１０であるか否かを判別する（ステップＳ１０６）。たとえば、操作パネル制御部２２の操作判別部２４は、操作されたタッチボタン１０が図２における操作パネル２のモード移行のためのタッチボタン１０ｊであるか否かを判別する。
【００４１】
ステップＳ１０６での判別の結果、操作されたタッチボタン１０が操作パネル２のモード移行のためのタッチボタン１０ｊでないときは（ステップＳ１０６でＮｏ）、操作パネル制御部２２の操作判別部２４は、操作されたタッチボタン１０がタッチパネル９の感度を高く、または低くするためのタッチボタン１０であるか否かを判別する（ステップＳ１０７）。たとえば、操作パネル制御部２２の操作判別部２４は、操作されたタッチボタン１０が図２におけるタッチパネル９の感度を高くするためのタッチボタン１０ｃまたは低くするためのタッチボタン１０ｄであるか否かを判別する。
【００４２】
ステップＳ１０７での判別の結果、操作されたタッチボタン１０がタッチパネル９の感度を高く、または低くするためのタッチボタン１０でないときは（ステップＳ１０７でＮｏ）、操作パネル制御部２２の表示制御部２５は、操作されたタッチボタン１０に対応するタッチボタン用ＬＥＤ１１を静電容量の変化量に応じた明るさで点灯させる（ステップＳ１０８）。たとえば、操作されたタッチボタン１０がタッチボタン１０ｅであるときは、操作パネル制御部２２の表示制御部２５は、操作されたタッチボタン１０ｅに対応するタッチボタン用ＬＥＤ１１ｅを静電容量の変化量に応じた明るさで点灯させる。たとえば、操作パネル制御部２２の表示制御部２５は、静電容量の変化量が大きい値である場合はタッチボタン用ＬＥＤ１１ｅを、明るさの度合いを大きく、すなわち明るく点灯させる。たとえば、操作パネル制御部２２の表示制御部２５は、静電容量の変化量が小さい値である場合はタッチボタン用ＬＥＤ１１ｅを、明るさの度合いを小さく、すなわち暗く点灯させる。
【００４３】
次いで、操作パネル制御部２２の表示制御部２５は、操作されていないタッチボタン１０に対応するタッチボタン用ＬＥＤ１１を静電容量の変化量のあらかじめ定められた推奨値に応じた明るさで点灯させる（ステップＳ１０９）。静電容量の変化量のあらかじめ定められた推奨値は、タッチパネル９で推奨する反応度に対応するものである。静電容量の変化量の値と、タッチ検出閾値との差が小さい値であるときは、反応度が小さく、当該差が大きい値であるときは、反応度が大きい。反応度は、静電容量の変化量の値がタッチ検出閾値からずれている程度を示すものである。タッチパネル９の感度が高くなると、タッチ検出閾値が小さい値となるため、反応度は大きくなる。タッチパネル９の感度が低くなると、タッチ検出閾値が大きい値となるため、反応度は小さくなる。たとえば、操作されたタッチボタン１０がタッチボタン１０ｅであるときは、操作パネル制御部２２の表示制御部２５は、操作されていないタッチボタン１０ｆに対応するタッチボタン用ＬＥＤ１１ｆを静電容量の変化量のあらかじめ定められた推奨値に応じた明るさで点灯させる。操作パネル制御部２２の表示制御部２５は、操作されていない全てのタッチボタン１０に対応する全てのタッチボタン用ＬＥＤ１１を静電容量の変化量のあらかじめ定められた推奨値に応じた明るさで点灯させてもよい。
【００４４】
ステップＳ１０５での判別の結果、操作されたタッチボタン１０が１つでないとき、すなわち操作されたタッチボタン１０が２つ以上であるとき、またはユーザがタッチボタン１０を１つだけタッチしたにも関わらず、操作判定がされたタッチボタン１０が２つ以上であるときは（ステップＳ１０５でＮｏ）、操作パネル制御部２２の表示制御部２５は、操作された、または操作判定がされた全てのタッチボタン１０にそれぞれ対応する全てのタッチボタン用ＬＥＤ１１を点滅させる（ステップＳ１１０）。ステップＳ１１０では、操作パネル制御部２２の表示制御部２５は、操作された、または操作判定がされた全てのタッチボタン１０にそれぞれ対応する全てのタッチボタン用ＬＥＤ１１を点灯させてもよい。
【００４５】
ステップＳ１０９、またはステップＳ１１０の後、操作パネル制御部２２の操作判別部２４は、タッチボタン１０の操作が終了したか否かを判別する（ステップＳ１１１）。たとえば、操作パネル制御部２２の操作判別部２４は、アクリル板１２の表面１２ａと電極１３との間の静電容量の変化量の値が、タッチ検出閾値未満の値であるときに、タッチボタン１０の操作が終了したと判別する。
【００４６】
ステップＳ１１１での判別の結果、タッチボタン１０の操作が終了していないときは（ステップＳ１１１でＮｏ）、ステップＳ１１１の処理に戻る。
【００４７】
ステップＳ１１１での判別の結果、タッチボタン１０の操作が終了したときは（ステップＳ１１１でＹｅｓ）、操作パネル制御部２２の表示制御部２５は、タッチボタン用ＬＥＤ１１を消灯させて（ステップＳ１１２）、ステップＳ１０３の処理に戻る。
【００４８】
ステップＳ１０７での判別の結果、操作されたタッチボタン１０がタッチパネル９の感度を高く、または低くするためのタッチボタン１０であるときは（ステップＳ１０７でＹｅｓ）、操作パネル制御部２２の操作判別部２４は、操作されたタッチボタン１０がタッチパネル９の感度を高くするためのタッチボタン１０であるか否かを判別する（ステップＳ１１３）。
【００４９】
ステップＳ１１３での判別の結果、操作されたタッチボタン１０がタッチパネル９の感度を高くするためのタッチボタン１０であるときは（ステップＳ１１３でＹｅｓ）、操作パネル制御部２２の設定変更部２６は、タッチパネル９の感度の設定を１つ、すなわち１段階上げて（ステップＳ１１４）、ステップＳ１０３の処理に戻る。タッチパネル９の感度の設定を１段階上げるとは、タッチ検出閾値を現在の値よりも小さい値に変更することを意味する。
【００５０】
ステップＳ１１３での判別の結果、操作されたタッチボタン１０がタッチパネル９の感度を高くするためのタッチボタン１０でないとき、すなわち操作されたタッチボタン１０がタッチパネル９の感度を低くするためのタッチボタン１０であるときは（ステップＳ１１３でＮｏ）、操作パネル制御部２２の設定変更部２６は、タッチパネル９の感度の設定を１つ、すなわち１段階下げて（ステップＳ１１５）、ステップＳ１０３の処理に戻る。タッチパネル９の感度の設定を１段階下げるとは、タッチ検出閾値を現在の値よりも大きい値に変更することを意味する。
【００５１】
ステップＳ１０６での判別の結果、操作されたタッチボタン１０が操作パネル２のモード移行のためのタッチボタン１０であるときは（ステップＳ１０６でＹｅｓ）、操作パネル制御部２２の操作判別部２４は、操作パネル２のモード移行のためのタッチボタン１０が第１の時間に亘ってタッチされたか否かを判別する（ステップＳ１１６）。第１の時間は、たとえば３秒間である。
【００５２】
ステップＳ１１６での判別の結果、操作パネル２のモード移行のためのタッチボタン１０が第１の時間に亘ってタッチされていないときは（ステップＳ１１６でＮｏ）、ステップＳ１０３の処理に戻る。
【００５３】
ステップＳ１１６での判別の結果、操作パネル２のモード移行のためのタッチボタン１０が第１の時間に亘ってタッチされたときは（ステップＳ１１６でＹｅｓ）、操作パネル制御部２２は、操作パネル２のモードを通常モードに移行して（ステップＳ１１７）、本処理を終了する。
【００５４】
図６に示すタッチ感度調整処理によれば、表示制御部２５が、操作されたタッチボタン１０に対応するタッチボタン用ＬＥＤ１１を静電容量の変化量に応じて点灯させる。これにより、ユーザがアクリル板１２の表面１２ａ側にタッチしたときにアクリル板１２の表面１２ａと電極１３との間の静電容量の変化量がどの程度であるのかを、ユーザが把握することができる。たとえば、ユーザは、タッチボタン用ＬＥＤ１１ｅが消灯しているときは、タッチパネル９の感度が低いと認識することができ、タッチパネル９の感度が高くなるようにタッチパネル９の感度を調整することができる。これにより、タッチパネル９の感度の調整をユーザが容易に行うことができる。
【００５５】
図６に示すタッチ感度調整処理によれば、表示制御部２５が、操作されたタッチボタン１０に対応するタッチボタン用ＬＥＤ１１を静電容量の変化量に応じた明るさで点灯させる。これにより、ユーザがアクリル板１２の表面１２ａ側にタッチしたときにアクリル板１２の表面１２ａと電極１３との間の静電容量の変化量がどの程度であり、ユーザによるタッチの有無を判定するためのアクリル板１２の表面１２ａと電極１３との間の静電容量の変化量に対してどの程度差があるのかを、ユーザが把握することができる。たとえば、表示制御部２５は、静電容量の変化量が大きい値である場合はタッチボタン用ＬＥＤ１１ｅを明るさの度合いを大きく、すなわち明るく点灯させ、静電容量の変化量が小さい値である場合はタッチボタン用ＬＥＤ１１ｅを明るさの度合いを小さく、すなわち暗く点灯させる。この場合、ユーザは、タッチボタン用ＬＥＤ１１ｅが明るく点灯しているときは、タッチパネル９の感度が高いと認識することができ、タッチパネル９の感度が低くなるようにタッチパネル９の感度を調整することができる。また、ユーザは、タッチボタン用ＬＥＤ１１ｅが暗く点灯しているときは、タッチパネル９の感度が低いと認識することができ、タッチパネル９の感度が高くなるようにタッチパネル９の感度を調整することができる。これにより、タッチパネル９の感度の調整をユーザが容易に行うことができる。
【００５６】
図６に示すタッチ感度調整処理によれば、表示制御部２５が、操作されていないタッチボタン１０に対応するタッチボタン用ＬＥＤ１１を静電容量の変化量のあらかじめ定められた推奨値に応じた明るさで点灯させる。これにより、ユーザは、操作されたタッチボタン１０に対応するタッチボタン用ＬＥＤ１１の明るさと、操作されていないタッチボタン１０に対応するタッチボタン用ＬＥＤ１１の明るさとを比較することにより、現在のタッチパネル９の反応度と、タッチパネル９で推奨する反応度との差を把握することができる。これにより、さらに容易にユーザがタッチパネル９の感度の調整を行うことができる。
【００５７】
図６に示すタッチ感度調整処理によれば、操作された、または操作判定がされたタッチボタン１０が２つ以上であるときは、表示制御部２５が、操作された全てのタッチボタン１０にそれぞれ対応する全てのタッチボタン用ＬＥＤ１１を点灯または点滅させる。ユーザがタッチボタン１０を１つだけタッチしたにも関わらず、２つ以上のタッチボタン１０の操作判定がされた場合には、操作判定がされた２つ以上のタッチボタン１０にそれぞれ対応する２つ以上のタッチボタン用ＬＥＤ１１が点灯または点滅する。これにより、ユーザは、タッチボタン１０を１つだけタッチしたにも関わらず、２つ以上のタッチボタン１０の操作判定がされたことを把握でき、現在のタッチパネル９の感度が高いことを把握することができる。これにより、さらに容易にユーザがタッチパネル９の感度の調整を行うことができる。
【００５８】
図６に示すタッチ感度調整処理によれば、表示制御部２５が、現在または変更後のタッチパネル９の感度の設定の表示を行う。これにより、ユーザは、現在または変更後のタッチパネル９の感度の設定を把握することができる。
【００５９】
本実施の形態では、操作パネル２のモード移行のためのタッチボタン１０ｊ、タッチパネル９の感度を高くするためのタッチボタン１０ｃ、およびタッチパネル９の感度を低くするためのタッチボタン１０ｄは、これらタッチボタン１０の操作不能を回避するために、タッチパネル９におけるこれらタッチボタン１０の感度は高く設定し、当該設定は変更不可能にしておくことが好ましい。この場合、タッチパネル９におけるこれらタッチボタン１０の感度の調整は行うことができない。このため、これらタッチボタン１０は使用頻度が低いタッチボタン１０にそれらの機能を持たせることが好ましい。
【００６０】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００６１】
１  室内機、２  操作パネル、３  吹出し口、４  吸込み口、５  電気配線、６  冷媒配管、７  状態表示部、８  ７セグメント表示ＬＥＤ、９  タッチパネル、１０，１０ａ，１０ｂ，１０ｃ，１０ｄ，１０ｅ，１０ｆ，１０ｇ，１０ｈ，１０ｉ，１０ｊ  タッチボタン、１１，１１ａ，１１ｂ，１１ｃ，１１ｄ，１１ｅ，１１ｆ，１１ｇ，１１ｈ，１１ｉ，１１ｊ  タッチボタン用ＬＥＤ、１２  アクリル板、１２ａ  表面、１２ｂ  裏面、１３  電極、２１  入出力部、２２  操作パネル制御部、２３  記憶部、２４  操作判別部、２５  表示制御部、２６  設定変更部、３０  制御回路、３１  入出力インターフェース回路、３２  プロセッサ、３３  メモリ。
【図１】
0006749496.tif 000002
【図２】
0006749496.tif 000003
【図３】
0006749496.tif 000004
【図４】
0006749496.tif 000005
【図５】
0006749496.tif 000006
【図６】
0006749496.tif 000007